(57)【要約】【課題】  パッキン材の取付及び交換を容易にすると共に、パッキン材の取付部の強度を維持し、かつ、気密性及び断熱性の向上を図れるようにした両開き式スライド扉の召合せ構造を提供すること。【解決手段】  庫体１の庫口２を開閉する左右一対の扉体５の召合せ部にパッキン材を具備する両開き式スライド扉において、両扉体５の召合せ部における一方の扉体５の端面の庫内側に、該扉体５に沿設固定される取付部材５０に着脱可能に嵌合され、先端部が他方の扉体５の端面側に密接可能な第１のパッキン材５１を取り付け、他方の扉体５の端面の庫外側に、該扉体５に沿設固定される取付部材５０に着脱可能に嵌合され、先端部が上記一方の扉体５の端面側に密接可能な第２のパッキン材５２を取り付ける。【選択図】    図３
2006283488.tif 000002
【特許請求の範囲】
【請求項１】
庫体の庫口を開閉する左右一対の断熱性を有する扉体の召合せ部にパッキン材を具備する両開き式スライド扉において、
上記両扉体の召合せ部における一方の扉体の端面の庫内側に、該扉体に沿設固定される金属製の取付部材に着脱可能に嵌合され、先端部が他方の扉体の端面側に密接可能な第１のパッキン材を具備し、他方の扉体の端面の庫外側に、該扉体に沿設固定される取付部材に着脱可能に嵌合され、先端部が上記一方の扉体の端面側に密接可能な第２のパッキン材を具備してなる、ことを特徴とする両開き式スライド扉の召合せ構造。
【請求項２】
請求項１記載の両開き式スライド扉の召合せ構造において、
上記第１のパッキン材と第２のパッキン材との間に断熱空気層を形成してなる、ことを特徴とする両開き式スライド扉の召合せ構造。
【請求項３】
請求項１記載の両開き式スライド扉の召合せ構造において、
上記取付部材は、アルミニウム製の押出形材にて形成されると共に、庫体の内外側にそれぞれ開口する狭隘開口状の嵌合溝を具備し、第１及び第２のパッキン材は、それぞれ断面略Ｕ字状に形成されると共に、開口側の基端部に、上記嵌合溝内に着脱可能に嵌合する一対の膨隆係合部を具備してなる、ことを特徴とする両開き式スライド扉の召合せ構造。
【請求項４】
請求項１ないし３のいずれかに記載の両開き式スライド扉の召合せ構造において、
上記両扉体の召合せ部における端面に、それぞれ上記取付部材と同じ部材からなるパッキン受け部材を沿設固定してなる、ことを特徴とする両開き式スライド扉の召合せ構造。
【請求項５】
請求項４記載の両開き式スライド扉の召合せ構造において、
上記パッキン受け部材の庫内側又は庫外側に設けられる狭隘開口状の嵌合溝を、該嵌合溝に着脱可能に嵌合される塞ぎパッキン材によって閉塞してなる、ことを特徴とする両開き式スライド扉の召合せ構造。
【発明の詳細な説明】
【技術分野】
【０００１】
この発明は、両開き式スライド扉の召合せ構造に関するもので、更に詳細には、例えば冷蔵庫や冷凍庫等の建造物の庫体の庫口を開閉する左右一対の扉体の召合せ部にパッキン材を具備する両開き式スライド扉の召合せ構造に関するものである。
【背景技術】
【０００２】
従来、例えば冷蔵庫や冷凍庫等の庫体の庫口を開閉する手段として左右一対の断熱性の扉体を有する両開き式スライド扉が採用されている。この種の両開き式スライド扉においては、庫内外の気密性及び断熱性を図るために両扉体の召合せ部にパッキン材が扉体の枠材に取り付けられている（例えば、特許文献１参照）。
【特許文献１】特開平７−２６９２４１号公報号（段落番号０００４，００２８、図４）
【発明の開示】
【発明が解決しようとする課題】
【０００３】
しかしながら、特開平７−２６９２４１号公報号に記載のものにおいては、パッキン材は、扉体を構成する枠材に直接取り付けられるため、パッキン材の取付に手間を要すると共に、摩耗や損傷等が生じた際の交換等が面倒であった。
【０００４】
また、パッキン材を取り付けるために枠材にパッキン材の取付溝を設ける必要があるため、枠材の構造が複雑になると共に、外観上の美観が損なわれるという問題があった。更には、枠材は一般に断熱性を有する合成樹脂製部材にて形成されるため、パッキン材の取付部の強度が低下し、扉体の閉鎖の際の衝撃等により扉体の召合せ部が損傷する虞もあった。
【０００５】
この発明は、上記事情に鑑みてなされたもので、パッキン材の取付及び交換を容易にすると共に、パッキン材の取付部の強度を維持し、かつ、気密性及び断熱性の向上を図れるようにした両開き式スライド扉の召合せ構造を提供することを目的とするものである。
【課題を解決するための手段】
【０００６】
上記課題を解決するために、請求項１記載の発明は、庫体の庫口を開閉する左右一対の断熱性を有する扉体の召合せ部にパッキン材を具備する両開き式スライド扉において、上記両扉体の召合せ部における一方の扉体の端面の庫内側に、該扉体に沿設固定される取付部材に着脱可能に嵌合され、先端部が他方の扉体の端面側に密接可能な第１のパッキン材を具備し、他方の扉体の端面の庫外側に、該扉体に沿設固定される取付部材に着脱可能に嵌合され、先端部が上記一方の扉体の端面側に密接可能な第２のパッキン材を具備してなる、ことを特徴とする。
【０００７】
このように構成することにより、扉体の召合せ部の端面に沿設固定される取付部材にパッキン材を着脱可能に嵌合することができ、扉体における庫内外において第１のパッキン材と第２のパッキン材とを交互に取り付けることができる。
【０００８】
また、請求項２記載の発明は、請求項１記載の両開き式スライド扉の召合せ構造において、上記第１のパッキン材と第２のパッキン材との間に断熱空気層を形成してなる、ことを特徴とする。
【０００９】
このように構成することにより、第１のパッキン材及び第２のパッキン材による気密・断熱機能の他に断熱空気層による断熱機能を付加することができる。
【００１０】
また、請求項３記載の発明は、請求項１記載の両開き式スライド扉の召合せ構造において、上記取付部材は、アルミニウム製の押出形材にて形成されると共に、庫体の内外側にそれぞれ開口する狭隘開口状の嵌合溝を具備し、第１及び第２のパッキン材は、それぞれ断面略Ｕ字状に形成されると共に、開口側の基端部に、上記嵌合溝内に着脱可能に嵌合する一対の膨隆係合部を具備してなる、ことを特徴とする。
【００１１】
このように構成することにより、断面略Ｕ字状に形成される第１及び第２のパッキン材の開口側の基部に設けられた一対の膨隆係合部を、アルミニウム製押出形材にて形成される取付部材の両側面に嵌合させて取り付けることができる。
【００１２】
また、請求項４記載の発明は、請求項１ないし３のいずれかに記載の両開き式スライド扉の召合せ構造において、上記両扉体の召合せ部における端面に、それぞれ上記取付部材と同じ部材からなるパッキン受け部材を沿設固定してなる、ことを特徴とする。
【００１３】
このように構成することにより、両扉体を閉鎖した際にパッキン材の先端部をパッキン受け部材に当接することができる。この場合、上記パッキン受け部材の庫内側又は庫外側に設けられる狭隘開口状の嵌合溝を、該嵌合溝に着脱可能に嵌合される塞ぎパッキン材によって閉塞する方が好ましい（請求項５）。
【発明の効果】
【００１４】
この発明によれば、上記のように構成されているので、以下のような効果が得られる。
【００１５】
（１）請求項１記載の発明によれば、扉体の召合せ部の端面に沿設固定される取付部材にパッキン材を着脱可能に嵌合することができ、扉体における庫内外において第１のパッキン材と第２のパッキン材とを交互に取り付けることができるので、パッキン材の取付及び交換を容易にすると共に、パッキン材の取付部の強度を維持し、かつ、気密性及び断熱性の向上を図ることができる。
【００１６】
（２）請求項２記載の発明によれば、第１のパッキン材及び第２のパッキン材による気密・断熱機能の他に断熱空気層による断熱機能を付加することができるので、上記（１）に加えて、更に断熱性の向上を図ることができる。
【００１７】
（３）請求項３記載の発明によれば、断面略Ｕ字状に形成される第１及び第２のパッキン材の開口側の基部に設けられた一対の膨隆係合部を、アルミニウム製押出形材にて形成される取付部材の両側面に嵌合させて取り付けることにより、パッキン材の開口側基部間に金属製の取付部材を挟持させることができるので、パッキン材の取付部の強度が図れる。また、パッキン材の側面と扉体の表面とを略同一面上に揃えることができる。したがって、上記（１）に加えて、更にパッキン材の取付部の強度の向上及び美観の向上を図ることができる。
【００１８】
（４）請求項４記載の発明によれば、両扉体を閉鎖した際にパッキン材の先端部をパッキン受け部材に当接することができるので、両扉体を閉鎖する際の衝撃に対して扉体の端面を保護することができる。また、パッキン受部材をパッキン材の取付部材と同じ部材によって形成することにより、構成部材の共通化が図れる。したがって、上記（１）〜（３）に加えて、更にスライド扉の寿命の増大を図ることができると共に、構成部材の削減が図れる。
【００１９】
（５）請求項５記載の発明によれば、パッキン受け部材の庫内側又は庫外側に設けられる狭隘開口状の嵌合溝を、該嵌合溝に着脱可能に嵌合される塞ぎパッキン材によって閉塞するので、上記（４）に加えて、更に断熱性及び美観の向上が図れる。
【発明を実施するための最良の形態】
【００２０】
以下に、この発明に係る両開き式スライド扉の召合せ構造の最良の形態を添付図面に基づいて詳細に説明する。ここでは、この発明に係る両開き式スライド扉をプレハブ式冷蔵庫に適用した場合について説明する。
【００２１】
図１は、この発明に係るスライド扉の一例を示す概略正面図、図２は、上記スライド扉の縦断面図、図３は、図１のＩ−Ｉ線に沿う拡大断面図である。
【００２２】
上記スライド扉は、プレハブ式冷蔵庫の庫体１に開設された庫口２の上部側に水平状に配設される案内レール３と、この案内レール３を直線状に載置固定するレール取付部材４と、庫口２を開閉する扉体５と、この扉体５の上端部に吊り具６を介して装着されると共に、案内レール３を転走する溝付きの車輪７と、案内レール３の適宜箇所例えば端部に取り付けられて、吊り具６の移動を止めるストッパ８と、扉体５の閉止時における車輪７と弾性力を付勢して係脱可能に係合するロック機構９とを具備している。
【００２３】
上記案内レール３は、レール面が断面逆Ｖ字状に隆起する断面略中空矩形状の複数のアルミニウム製押出形材にて形成されるレール基部３１と、このレール基部３１の中空部に嵌挿されて連接される断面略矩形状のピース状のプラスチック製ガイド部材３２とで構成されている。ガイド部材３２は、図１及び図３に示すように、扉体５の上部両端部に装着される車輪７に対応するように、案内レール３の閉止側前端部と閉止側後端部（開放側前端部）に配設されており、車輪７の走行面が上記庫体１側に向かって円弧状に屈曲する屈曲部（図示せず）が形成されて、扉体５を庫体１側へ移動し得るように構成されている。
【００２４】
上記のように構成されるレール基部３１とガイド部材３２は、庫体１に取り付けられるレール取付部材４に載置されると共に、図示しない固定ボルトをもって固定されている。
【００２５】
この場合、レール取付部材４は、図２に示すように、レール基部３１とガイド部材３２とを載置する断面Ｖ字状の保持部４２と、この保持部４２の一端から傾斜状に延在する傾斜部４３と、傾斜部４３の先端に交差状に連結する垂直状の取付部４４と、取付部４４の下端と傾斜部４３の下部とに連結される補強部４５とからなるアルミニウム製押出形材にて形成されている。
【００２６】
このように形成されるレール取付部材４は、保持部４２上にレール基部３１とガイド部材３２を互いに連接した状態で載置し、保持部４２の外側から固定ボルト（図示せず）を螺合して、レール基部３１とガイド部材３２を固定する。そして、取付部４４を庫体１の取付面に当接した状態で、取付ボルト４１を取付部４４に設けられた取付孔（図示せず）を貫通して庫体１に螺合することにより、レール基部３１とガイド部材３２を強固に固定することができる。
【００２７】
したがって、扉体５の閉止位置（閉鎖位置）及び開放位置に対応させて、レール基部３１とガイド部材３２との連接位置を適宜代えることができるので、案内レール３の加工を容易にすることができると共に、案内レール３及び扉体５の組付けを容易にすることができる。
【００２８】
上記車輪７は、扉体５の上端におけるスライド方向の両端側の２箇所に取り付けられており、案内レール３の逆Ｖ字状レール面（図示せず）に対応するＶ形溝７ａと、上述したようにレール面を転走する外周縁７ｂとを具備している。また、車輪７は、扉体５の取付状態｛具体的には、扉体５が位置する床部Ｆの凹凸や傾斜状態｝に応じて位置調節が可能となっている。すなわち、扉体５の上端に固定されるＬ形状の吊り具６の垂直片６１に設けられた垂直状の長孔（図示せず）内を摺動可能（上下移動可能）に取り付けられた支持軸６２によって垂直方向に回転自在に装着されている（図３参照）。なお、吊り具６の垂直片６１の上端には、扉体５が自重によって下がるのを防止するためのストッパ機構６３が設けられている。また、吊り具６には、扉体５の上部を覆う化粧カバー６０が図示しない装着手段によって装着可能に形成されている（図３参照）。
【００２９】
このように形成される車輪７は、案内レール３（具体的には、レール基部３１及びガイド部材３２）上をＶ形溝７ａ及び外周縁７ｂが転走することができると共に、扉体５の閉止及び開放時には案内レール３のガイド部材３２の屈曲部（図示せず）に沿って閉止及び開放位置まで移動できる。
【００３０】
一方、上記扉体５は、一対の金属又は合成樹脂製の表面板５ａと、これら表面板５ａの辺部間に介在される合成樹脂製の枠材５ｂと、両表面板５ａ及び枠材５ｂにて形成される空間内に発泡ポリウレタン等の発泡性の断熱性心材５ｃを充填したサンドイッチ構造となっており、この扉体５の庫体１側の上辺及び左右辺には、庫口２の開口縁部に周設されたパッキン受座７１と圧接するパッキン７０が周設されている。また、扉体５の上端には、扉体５の上端に対して高さ調節可能な脱輪防止部材６５が着脱可能に装着されている。また、扉体５の下端部には、床部Ｆに接触するずれパッキン６６が垂下されている（図１及び図２参照）。
【００３１】
また、扉体５の召合せ部には、図３に示すように、一方の扉体５（図３において左側）の端面の庫内側に、該扉体５に沿設固定される金属製例えばアルミニウム製の押出形材にて形成される取付部材５０に着脱可能に嵌合され、先端部が他方の扉体５（図３において右側）の端面側に密接可能な第１のパッキン材５１と、他方の扉体５（図３において右側）の端面の庫外側に、該扉体５に沿設固定されるアルミニウム製の押出形材にて形成される取付部材５０に着脱可能に嵌合され、先端部が上記一方の扉体５（図３において左側）の端面側に密接可能な第２のパッキン材５２とが取り付けられている。
【００３２】
この場合、扉体５の端面における第１のパッキン材５１又は第２のパッキン材５２の先端部が当接する部位には、それぞれ上記取付部材５０と同様の金属すなわちアルミニウム製押出形材にて形成されるパッキン受け部材５５が沿設固定されている。
【００３３】
また、第１のパッキン材５１と第２のパッキン材５２との間に断熱空気層５３が形成されている。これにより、扉体５の閉止時（閉鎖時）には、召合せ部において第１及び第２のパッキン材５１，５２による気密・断熱機能に加えて断熱空気層５３による断熱機能による断熱性の維持が図れる。
【００３４】
上記取付部材５０は、図３及び図４に示すように、庫体１の内外側にそれぞれ開口する狭隘開口状の嵌合溝５０ａを具備しており、嵌合溝５０ａを構成する一方の側壁５０ｂ同士が連結片５０ｄによって連結され、更に庫内側又は庫外側に位置する他方の側壁５０ｃの先端には、扉体５の表面縁部を被覆する縁片５０ｅが折曲されている。
【００３５】
このように構成される取付部材５０は、図３に示すように、縁片５０ｅが扉体５の表面縁部に被覆するように配設（沿設）された状態で、外方側から連結片５０ｄを貫通する固定ねじ５８を扉体５の枠材５ｂ及び断熱性心材５ｃに螺挿することによって固定される。
【００３６】
上記第１及び第２のパッキン材５１，５２は、図３及び図４に示すように、それぞれ断面略Ｕ字状に形成されると共に、開口側の基端部に、取付部材５０の嵌合溝５０ａ内に着脱可能に嵌合する先端に向かって狭小テーパ部を有する一対の中空状の膨隆係合部５４を具備してなる。これら第１及び第２のパッキン材５１，５２は、両膨隆係合部５４を取付部材５０に設けられた狭隘開口状の嵌合溝５０ａ内に嵌合することによって、取付部材５０に取り付けられる。このように構成することにより、第１及び第２のパッキン材５１，５２の開口側の基部間にアルミニウム製の押出形材にて形成される取付部材５０を挟持させることができるので、パッキン材５１，５２の取付部の強度が図れる。また、パッキン材５１，５２の庫内側又は庫外側の側面と扉体５の表面とを略同一面上に揃えることができる。
【００３７】
上記パッキン受け部材５５は、取付部材５０と同様に形成されている。すなわち、図３及び図５に示すように、庫体１の内外側にそれぞれ開口する狭隘開口状の嵌合溝５５ａを具備しており、嵌合溝５５ａを構成する一方の側壁５５ｂ同士が連結片５５ｄによって連結され、更に庫内側又は庫外側に位置する他方の側壁５５ｃの先端には、扉体５の表面縁部を被覆する縁片５５ｅが折曲されている。
【００３８】
このように構成されるパッキン受け部材５５は、図３に示すように、縁片５５ｅが扉体５の表面縁部に被覆するように配設（沿設）された状態で、外方側から連結片５５ｄを貫通する皿ねじにて形成される固定ねじ５８Ａを扉体５の枠材５ｂ及び断熱性心材５ｃに螺挿することによって固定される。
【００３９】
また、上記パッキン受け部材５５の庫内側又は庫外側に設けられる狭隘開口状の嵌合溝５５ａには、塞ぎパッキン材５６が着脱可能に嵌合されている。この塞ぎパッキン材５６は、図３及び図５に示すように、帯状の基部５６ａの裏面側に、パッキン受け部材５５に設けられた狭隘開口状の嵌合溝５５ａ内に着脱可能に嵌合する先端に向かって狭小テーパ部を有する中空状の膨隆係合部５７を突設してなる。
【００４０】
なお、庫体１のパッキン取付け部の適宜位置とパッキン受座７１の適宜位置には解凍及び結露水防止用のヒータ（図示せず）が埋設されている。また、扉体５の召合せ側の外側略中央部には取手１００が取り付けられ、両扉体５は召合せ部において錠前２００によって閉止固定されるようになっている。なお、扉体５の開放位置の床部Ｆには、扉体５の下部ストッパ部材６７が取り付けられている（図１参照）。
【００４１】
上記のように形成されるスライド扉において、扉体５を開放位置から閉止（閉鎖）する場合、扉体５を閉止側に移動すると、車輪７が案内レール３のレール基部３１上を転動して、ガイド部材３２の屈曲部（図示せず）側に沿って走行して、扉体５が庫体１側に偏移した状態で吊り具６がストッパ８に衝突して閉止する。その際、両扉体５の召合せ部側の端面に取り付けられた第１及び第２のパッキン材５１，５２の先端部が、同じく両扉体５の召合せ部側の端面に取り付けられたアルミニウム製の押出形材にて形成されたパッキン受け部材５５の連結片５５ｄの表面に衝突するので、勢いよく扉体５を閉止した場合においても扉体５が損傷を受けるのを抑制することができる。
【００４２】
また、両扉体５の閉止状態（閉鎖状態）においては、第１のパッキン材５１と第２のパッキン材５２とが庫体１の内外方向に交互に位置し、しかも両パッキン材５１，５２間に断熱空気層５３が形成されているので、気密性及び断熱性の維持が図れる。
【００４３】
また、万一、パッキン材５１，５２が損傷した場合には、パッキン材５１，５２の膨隆係合部５４を取付部材５０の嵌合溝５０ａから外して取り除き、新規のパッキン材５１，５２を再び取付部材５０の嵌合溝５０ａに嵌合して取り付けることができる。
【００４４】
なお、上記実施形態では、この発明に係る両開き式スライド扉の召合せ構造をプレハブ式の冷蔵庫に適用した場合について説明したが、プレハブ式の冷蔵庫以外の例えばクリーンルーム、保管庫あるいは保冷凍庫等や一般の建物にも同様に適用できることは勿論である。
【図面の簡単な説明】
【００４５】
【図１】この発明に係る両開き式スライド扉の一例を示す概略正面図である。
【図２】上記スライド扉の縦断面図である。
【図３】図１のＩ−Ｉ線に沿う拡大断面図である。
【図４】この発明における取付部材と第１及び第２のパッキン材を示す斜視図である。
【図５】この発明におけるパッキン受け部材と塞ぎパッキン材を示す斜視図である。
【符号の説明】
【００４６】
１  庫体
２  庫口
５  扉体
５０  取付部材
５０ａ  狭隘開口状嵌合溝
５１  第１のパッキン材
５２  第２のパッキン材
５３  断熱空気層
５４  膨隆係合部
５５  パッキン受け部材
５５ａ  狭隘開口状嵌合溝
５６  塞ぎパッキン材
５７  膨隆係合部
５８，５８Ａ  固定ねじ
【図１】
2006283488.tif 000003
【図２】
2006283488.tif 000004
【図３】
2006283488.tif 000005
【図４】
2006283488.tif 000006
【図５】
2006283488.tif 000007